(57)【要約】【課題】縫製作業が制約されず、様々な大きさ及び形状を有する被縫製物を縫製作業に使用することができるミシン載置台を提供する。【解決手段】ミシン載置台１は、左右に配置した一対の各縦脚２ａ，２ａ及び各縦脚２ａ，２ａの後側対向端部に固定した横脚２ｂとからなる支持脚２の後側中央部に、上下方向に対して伸縮調節自在に設けた１本の支柱３を上方に向けて垂直に立設し、支柱３の上端部に、一つのミシンＡ１又はＡ２が載置される上部載置台４の後端部を水平固定し、上部載置台４の一側縁部近傍に、被縫製物Ｂが弛ませた状態に引っ掛けられる支持アーム６を設けた。【選択図】図１
2007190109.tif 000002
【特許請求の範囲】
【請求項１】
左右に配置した一対の各縦脚と、該各縦脚の後側対向端部に固定した横脚とからなる支持脚の後側中央部に、１本の支柱を上方に向けて垂直に立設し、
上記支柱上端部に、一つのミシンが載置される上部載置台の後端部を水平固定し、
上記上部載置台の一側縁部近傍に、上記ミシンにより縫製される被縫製物が弛ませた状態に引っ掛けられる支持アームを設けた
ミシン載置台。
【請求項２】
上記支持アームの一側端部を上記上部載置台の一側縁部に突出し、該支持アームの他側端部を支柱上端部に水平固定するともに、
上記支持アームの一側端部を上部載置台の一側縁部と平行して正面に向けて直角に折り曲げて、該一側端部に上記被縫製物が引っ掛けられる引っ掛け部を形成した
請求項１に記載のミシン載置台。
【請求項３】
上記支持アームを、上記上部載置台の後側縁部と平行して左右方向に水平移動自在に設けるとともに、該支持アームの引っ掛け部が上部載置台の一側縁部に対して近接又は離間される方向に向けて伸縮調節自在に設けた
請求項２に記載のミシン載置台。
【請求項４】
上記上部載置台の下方に、上記ミシンが載置される単数又は複数の下部載置台を、該ミシンの載置が許容される上下間隔に隔てて設けるとともに、
上記上部載置台及び下部載置台を、上記ミシン載置台の設置スペース内に設けた
請求項１乃至３のいずれか一つに記載のミシン載置台。
【請求項５】
上記上部載置台の後端部に固定した支柱を上下方向に対して伸縮調節自在に設けた
請求項１乃至４のいずれか一つに記載のミシン載置台。
【請求項６】
上記上部載置台に載置されるエクステンションプレートの一側端部に、該上部載置台に載置されたミシンの台部外周縁部に対して嵌合される嵌合部を設け、
上記上部載置台の側部に突出するエクステンションプレートの他側端部に、該上部載置台の一側縁部近傍に設けた支持アームの引っ掛け部に対して係止される係止部を設けた
請求項１乃至５のいずれか一つに記載のミシン載置台。
【請求項７】
上方に向けて垂直に立設され、上下方向に対して伸縮調節自在に設けた支持ポールと、
上記支持ポールの上端部に対して水平回転自在に設けられ、上記被縫製物の上端部を挟持する挟持手段とを備えた被縫製物保持台を、上記上部載置台の一側縁部近傍に配置した
請求項１乃至６のいずれか一つに記載のミシン載置台。
【発明の詳細な説明】
【技術分野】
【０００１】
この発明は、例えば幅広、長尺、筒状、袋状、平板状、扁平状等の様々な大きさ及び形状を有する被縫製物を、家庭用又は職業用のミシンにより縫製する作業に用いられるミシン載置台に関する。
【背景技術】
【０００２】
近年、上述の家庭用ミシンは、ミシン本体が単独で販売されるので、一般家庭で縫製作業を行う場合、例えば机や食卓等の載置台に載置するが、載置台下部には複数本の各脚部が存在するため、載置台上方の空間しか縫製作業に利用することができず、ミシンによる縫製作業が制約される。また、異なる縫製作業に移行する場合、載置台に設置されたミシンを保管場所に運搬し、保管場所に保管された異なる縫製機能のミシンを載置台に載置しなければならず、ミシンの乗換え作業に手間及び時間が掛かる。また、専用載置台に載置されたミシンを使用する場合、縫製機能の異なる複数種の各ミシンを縫製作業に応じて使い分けるが、専用載置台に載置された複数種の各ミシンを設置又は保管するためのスペースを確保することが難しく、複数種の各ミシンを一つの場所に配置することができない。また、設置スペースによって縫製作業が制約されるため、一般家庭では様々な縫製作業が行えない。
【０００３】
上記ミシンを載置した例としては、例えば布受け用テーブルの前方に食み出した２枚の各布帛を布受け用テーブルと布受けバーとで挟持し、縫い始め用布端挟持具と縫い終り用布端挟持具とで挟持した各布帛の縁部をミシンで縫付ける特許文献１の布帛の縫合装置があるが、縫合装置の前側下部に前部フレームが存在するため、布受け用テーブル上方の空間だけしか縫製作業に利用することができず、扁平状態に展開できる布帛の縫製作業にしか使用することができない。また、２枚の各布帛を広げた状態に載置するには、大きなテーブルが必要であるため、広い設置スペースが必要である。
【０００４】
また、ベースの一側部に立設した垂直方向に伸縮可能なポストの上端部に、ミシンが搭載されたテーブルを固定した特許文献２のミシン用の調節可能なスタンドがあるが、ミシンの針落ち位置と対応するテーブルの左側部を、被縫製物の載置が許容される大きさに形成しているので、スタンドを設置又は保管するのに広いスペースが必要であり、一般家庭等の設置スペースが狭い場所には、複数台のスタンドを設置することが難しく、ミシンの種類及び台数が限定されるため、様々な縫製作業を一つの場所で行うことができない。
【０００５】
【特許文献１】実開平３−１３９７１号公報
【特許文献２】特開平５−１９２４８３号公報
【発明の開示】
【発明が解決しようとする課題】
【０００６】
この発明は上記問題に鑑み、縫製作業が制約されず、様々な大きさ及び形状を有する被縫製物の縫製作業に使用することができるミシン載置台の提供を目的とする。
【課題を解決するための手段】
【０００７】
請求項１に記載した発明のミシン載置台は、左右に配置した一対の各縦脚と、該各縦脚の後側対向端部に固定した横脚とからなる支持脚の後側中央部に、１本の支柱を上方に向けて垂直に立設し、上記支柱上端部に、一つのミシンが載置される上部載置台の後端部を水平固定し、上記上部載置台の一側縁部近傍に、上記ミシンにより縫製される被縫製物が弛ませた状態に引っ掛けられる支持アームを設けたことを特徴とする。
【０００８】
この発明によると、被縫製物を、上部載置台の一側縁部近傍に設けた支持アームに対して弛ませた状態に引っ掛けたまま、被縫製物の縫付け開始部を、上部載置台に載置したミシンに手送り供給して所望する状態に縫製する。
【０００９】
上記ミシンは、例えば本縫いミシン、ロックミシン、掬い縫いミシン、本体が単独で販売されるミシン等の家庭用ミシン又は職業用ミシンで構成することができる。また、被縫製物は、例えば幅広、長尺、筒状、袋状、平板状、扁平状等の様々な大きさ及び形状を有する布地で構成することができる。実施例では、例えばスカート、キルト等の被縫製物を縫製する作業を説明しているが、皮革や不織布、合成樹脂等の材質で形成された被縫製物を縫製する作業にも用いることができる。また、支持アームは、例えば中空のパイプ、中実の棒又は軸等で構成することができる。
【００１０】
請求項２に記載した発明のミシン載置台は、上記請求項１に記載の構成と併せて、上記支持アームの一側端部を上記上部載置台の一側縁部に突出し、該支持アームの他側端部を支柱上端部に水平固定するともに、上記支持アームの一側端部を上部載置台の一側縁部と平行して正面に向けて直角に折り曲げて、該一側端部に上記被縫製物が引っ掛けられる引っ掛け部を形成したことを特徴とする。
【００１１】
この発明によると、被縫製物を、上部載置台の一側縁部に突出する支持アームの引っ掛け部に引っ掛けて、被縫製物の縫付け開始部を、上部載置台に載置したミシンに手送り供給する。
【００１２】
請求項３に記載した発明のミシン載置台は、上記請求項２に記載の構成と併せて、上記支持アームを、上記上部載置台の後側縁部と平行して左右方向に水平移動自在に設けるとともに、該支持アームの引っ掛け部が上部載置台の一側縁部に対して近接又は離間される方向に向けて伸縮調節自在に設けたことを特徴とする。
【００１３】
この発明によると、支持アームを、上部載置台の後側縁部と平行して左右方向に対して任意長さに伸縮調節し、支持アームの引っ掛け部を、上部載置台の一側縁部に対して任意間隔に近接又は離間する。
【００１４】
請求項４に記載した発明のミシン載置台は、上記請求項１乃至３のいずれか一つに記載の構成と併せて、上記上部載置台の下方に、上記ミシンが載置される単数又は複数の下部載置台を、該ミシンの載置が許容される上下間隔に隔てて設けるとともに、上記上部載置台及び下部載置台を、上記ミシン載置台の設置スペース内に設けたことを特徴とする。
【００１５】
この発明によると、縫製機能が異なる複数種の各ミシンを上部載置台と下部載置台とにそれぞれ載置しておけば、各ミシンを乗換えるだけで、ミシンの種類及び台数と対応する様々な縫製作業が一つの場所で行える。また、上部載置台及び下部載置台を、ミシン載置台の設置スペース内に設けているので、複数種の各ミシンを保管又は格納するためのスペースが小さくて済む。
【００１６】
請求項５に記載した発明のミシン載置台は、上記請求項１乃至４のいずれか一つに記載の構成と併せて、上記上部載置台の後端部に固定した支柱を上下方向に対して伸縮調節自在に設けたことを特徴とする。
【００１７】
この発明によると、支持脚の後側中央部に立設した支柱全長を任意長さに伸縮調節し、該支柱上端部に固定した上部載置台を、例えば作業者の身長、座高等に応じて任意高さに上下調節する。
【００１８】
請求項６に記載した発明のミシン載置台は、上記請求項１乃至５のいずれか一つに記載の構成と併せて、上記上部載置台に載置されるエクステンションプレートの一側端部に、該上部載置台に載置されたミシンの台部外周縁部に対して嵌合される嵌合部を設け、上記上部載置台の側部に突出するエクステンションプレートの他側端部に、該上部載置台の一側縁部近傍に設けた支持アームの引っ掛け部に対して係止される係止部を設けたことを特徴とする。
【００１９】
この発明によると、エクステンションプレートの一側端部に設けた嵌合部を、上部載置台に載置されたミシンの台部外周縁部に嵌合し、他側端部に設けた係止部を、上部載置台の一側縁部近傍に設けた支持アームの引っ掛け部に係止して、エクステンションプレートを水平に載置する。また、エクステンションプレートをミシンの台部と水平となる高さに上下調節自在に設けてもよい。
【００２０】
請求項７に記載した発明のミシン載置台は、上記請求項１乃至６のいずれか一つに記載の構成と併せて、上方に向けて垂直に立設され、上下方向に対して伸縮調節自在に設けた支持ポールと、上記支持ポールの上端部に対して水平回転自在に設けられ、上記被縫製物の上端部を挟持する挟持手段が備えられた被縫製物保持台を、上記上部載置台の一側縁部近傍に配置したことを特徴とする。
【００２１】
この発明によると、被縫製物保持台を上部載置台の一側縁部近傍に配置し、被縫製物の上端部を支持ポールの上端部に設けた挟持手段で挟持した後、被縫製物の下端側周縁部を上部載置台に載置したミシンに供給する。被縫製物を供給する際の牽引力により、被縫製物の上端部を挟持する挟持手段を同一方向に水平回転させ、被縫製物の下端側周縁部をミシンにより連続して縫製する。
【発明の効果】
【００２２】
この発明によれば、支持脚の後側中央部に立設した支柱上端部に上部載置台の後端部を水平固定して、上部載置台の前側下部及び両側下部を開放しているので、支柱以外には、上部載置台を支持する脚部が存在せず、縫製作業に使用するミシンを宙に浮くような状態に載置することができるとともに、従来型の専用載置台よりも作業空間が広く、様々な大きさ及び形状を有する被縫製物を縫製する作業が容易に行える。
【００２３】
また、被縫製物を、上部載置台の一側縁部近傍に設けた支持アームに引っ掛けたまま、上部載置台に載置したミシンに手送り供給して縫製するので、被縫製物全体が載置許容される大きな載置台を用いる必要がなく、上部載置台の一側縁部を、例えば壁部、家具、機器等に近接して設置することができる。ミシン載置台を設置するのに必要な設置スペースがあれば、何処にでも設置することができ、設置スペースによって縫製作業が制約されず、一般家庭でも様々な縫製作業が行える。或いは、例えば捺染装置、裁断装置等の縫製関連機器に近接して設置すれば、縫製作業の自動化、システム化が容易に行える。
【発明を実施するための最良の形態】
【００２４】
この発明は、縫製作業が制約されず、様々な大きさ及び形状を有する被縫製物の縫製作業に使用することができるという目的を、支持脚の後側中央部に立設した支柱上端部に上部載置台の後端部を水平固定して、被縫製物を、上部載置台の一側縁部近傍に設けた支持アームに引っ掛けることで達成した。
【実施例】
【００２５】
この発明の一実施例を以下図面に基づいて詳述する。
【００２６】
図面は、一つのミシンが載置される上部載置台の前側下部及び両側下部を開放したペデスタル型のミシン載置台を示し、図１、及び図２に於いて、このミシン載置台１は、左右に配置した一対の各縦脚２ａ，２ａ及び各縦脚２ａ，２ａの後側対向端部に固定した横脚２ｂとからなる支持脚２と、支持脚２の後側中央部に対して上方に向けて垂直に立設され、上下方向に対して伸縮調節自在に設けた１本の支柱３と、支柱３上端部に対して水平に固定され、縫製作業に使用する一つのミシンＡ１又はＡ２が載置される上部載置台４と、上部載置台４の右側部下方に配置され、縫製作業に使用しないミシンＡ１又はＡ２が載置される下部載置台５と、上部載置台４の正面から見て左側部に突設され、被縫製物Ｂを弛ませた状態に引っ掛けられる支持アーム６とで構成される。
【００２７】
なお、ミシンＡ１又はＡ２は、例えば本縫いミシン、ロックミシン、掬い縫いミシン、本体が単独で販売されるミシン等の家庭用ミシンで構成され、また、支持アーム６は、例えば中空のパイプ、中実の棒又は軸等で構成される。
【００２８】
上記支持脚２は、後述する上部載置台４の奥行きよりも所定寸法だけ長尺に形成した一対の各縦脚２ａ，２ａを、上部載置台４の横幅よりも幅広間隔又は同等間隔に隔てて左右に配置し、上部載置台４の横幅よりも所定寸法だけ長尺に形成した横脚２ｂの両端部を、各縦脚２ａ，２ａの後側対向端部又は後側対向端部に近い部分に直交して固定している。また、縦脚２ａを、上部載置台４の奥行きと同等又は同一の寸法に形成し、横脚２ｂを、上部載置台４の横幅と同等又は同一の寸法に形成してもよい。
【００２９】
また、所望する方向（例えば略３６０度）に水平回動自在なストッパー機能付きの各キャスター２ｃ…を各縦脚２ａ，２ａの前後両端部に取り付けて、任意の設置場所に走行移動自在に設けている。また、各キャスター２ｃ…を取り付けず、各縦脚２ａ，２ａを設置面に対して直接接地してもよい。
【００３０】
また、後述する上部載置台４の左側部下方に配置され、横脚２ｂの左側端部に対して手前側に向けて水平固定した載置台２ｄには、ミシンＡ１又はＡ２の縫い速度を可変調節するためのフットスイッチＡｂが載置される。
【００３１】
前記支柱３は、後述する上部載置台４の後端部下面に固定される筒状の柱体３ａを、支持脚２の後側中央部（横脚２ｂの中央部）に対して上方に向けて垂直に立設した筒状の柱体３ｂ内部に上下移動自在及び水平回動不可に挿入し、支柱３全長を上下方向に対して伸縮調節自在に設けている。また、後述するネジ部材３ｃと対向する柱体３ｂ外面には、ネジ部材３ｃが係止される凹状又は孔状の係止部３ｄを長さ方向に対して所定等間隔に隔てて複数配列している。つまり、柱体３ｂに取り付けたネジ部材３ｃを、柱体３ａ外面に形成した任意位置の係止部３ｄに係止して、上部載置台４を任意高さに固定する。ネジ部材３ｃによる固定を解除すれば、上部載置台４を任意高さに上下調節することができる。
【００３２】
また、柱体３ａ，３ｂの断面形状を、例えば五角形、六角形等の多角断面形状に形成してもよく、柱体３ａ，３ｂを中空丸形断面に形成した場合、柱体３ａ，３ｂの対向面に沿って長さ方向に形成した凹部と凸部とを互いに係合する等して、水平回動不可に係合すればよい。
【００３３】
また、上下調節手段の他の例として、例えばネジ部材３ｃを、柱体３ａ外面に当接又は圧接するか、柱体３ａ外面のラックに噛合したギャを、ハンドルの回動力又はモータの駆動力により正逆回転する等して任意高さに上下調節してもよい。
【００３４】
前記上部載置台４は、一つのミシンＡ１又はＡ２が正面から見て左向きに載置される大きさ及び形状に形成され、ミシンＡ１又はＡ２の外周縁部よりも所定寸法だけ外側に食み出すような平面視横長形状に形成している。また、後述する支持部材７の上端側水平部７ａを上部載置台４の後端部下面に固定し、下端側垂直部７ｂを柱体３ａの上端部後面に固定して、上部載置台４を柱体３ａの上端部に対して水平固定している。つまり、支持脚２の後側中央部に立設した支柱３以外には、上部載置台４を支持する脚部が存在せず、上部載置台４の前側下部及び両側下部を開放している。また、上部載置台４を、ミシンＡ１又はＡ２の接地面と同等となる大きさ及び形状に形成してもよい。
【００３５】
上記支持部材７は、上端側を前方に向けて水平に折り曲げて形成した水平部７ａを、該水平部７ａに載置された上部載置台４の後端部から前端部に至る中央部下面に固定し、下端側に形成した垂直部７ｂを、柱体３ａの上端部後面に固定している。
【００３６】
また、上部載置台４の右端部下面には、例えばボビン、鋏等の物品が収納される収納箱８を手前側に向けて出し入れ自在に設けている。
【００３７】
前記下部載置台５は、一つのミシンＡ１又はＡ２が上部載置台４に対して直交する向きに載置される大きさ及び形状に形成され、ミシンＡ１又はＡ２の外周縁部よりも所定寸法だけ外側に食み出すような平面視縦長形状に形成している。また、右側縦脚２ａの上面全長と、横脚２ｂの右側端部とを下部載置台５の下面に固定して、下部載置台５を、縦脚２ａ及び横脚２ｂに対して水平固定するとともに、上部載置台４の右側部下方に対してミシンＡ１又はＡ２の載置が許容される上下間隔に隔てて設けている。
【００３８】
なお、上部載置台４及び下部載置台５は、ミシン載置台１の設置スペース内に配設している。また、下部載置台５を、複数台の各ミシンＡ１，２Ａ…が載置許容される大きさ及び形状に形成するか、縫製作業台の設置スペース内に収まるように、複数台の各ミシンＡ１，Ａ２…を下部載置台５に並列載置してもよい。或いは、下部載置台５を任意高さに上下調節自在に設けてもよい。
【００３９】
前記支持アーム６は、図３、図４にも示すように、被縫製物Ｂの引っ掛けが許容される長さ及び形状に平面から見てＬ字状に形成され、上部載置台４の正面から見て左側縁部よりも外側に突出する支持アーム６の一側端部を、上部載置台４の左側縁部と平行して正面又は手前側に向けて直角に折り曲げるとともに、上部載置台４の左側縁部と同等又は同一となる長さに形成され、被縫製物Ｂの引っ掛けが許容される引っ掛け部６ａを水平に形成している。また、引っ掛け部６ａを、上部載置台４の前後縁部よりも所定寸法だけ外側に食み出すような長さに形成してもよい。
【００４０】
また、支持アーム６の他側端部を、後述する支持板９の上端部前面に固定した一対の各受け部材１０，１０の各受け孔１０ａ，１０ａに挿入し、該支持板９の下端部前面を支持部材７の垂直部７ｂに固定して、支持アーム６を上部載置台４の後側縁部と平行して左右方向に水平移動自在に設けるとともに、支持アーム６の引っ掛け部６ａが上部載置台４の左側縁部に対して近接又は離間される方向に向けて伸縮調節自在に設け、引っ掛け部６ａを上部載置台４に載置されるミシンＡ１又はＡ２の台部Ａａと水平となる高さに設けている。また、引っ掛け部６ａを上部載置台４と水平となる高さに設けてもよい。
【００４１】
また、各受け部材１０，１０に取り付けた各ネジ部材１１，１１を、各受け孔１０ａ，１０ａに挿入した支持アーム６の右側端部外面に当接して、支持アーム６の引っ掛け部６ａを、上部載置台４の左側縁部に対して任意間隔に近接又は離間した位置に固定する。各ネジ部材１１，１１による固定を解除すれば、引っ掛け部６ａを、上部載置台４の左側縁部に対して任意間隔に近接又は離間した位置に伸縮調節することができる。
【００４２】
また、引っ掛け部６ａの外周面には、被縫製物Ｂのズレ落ち又は落下を防止するために必要な接触抵抗を有する例えばウレタンゴム、スポンジゴム等の滑り止め部材６ｂを装着している。
【００４３】
また、支持アーム６の右側端部を、支持板９の上端部に対して上下回動自在に軸支して任意角度に回動調節自在に設けるか、支持アーム６を任意高さに上下調節自在に設けるか、引っ掛け部６ａを任意長さに伸縮調節自在に設ける等してもよい。
【００４４】
一方、支持板９の上端部後面には、例えば金糸、銀糸、ラメ糸等の糸を巻回してなるロール状の巻き糸Ｃが保持される糸立て棒１２を上方に向けて垂直に立設している。
【００４５】
上記糸立て棒１２は、正面から見て上下逆Ｌ字状に形成した支持棒１２ａの下端部を、支持板９の上端部後面に固定した筒状の受け部１２ｂ内部に対して上下移動自在に挿入して、糸立て棒１２全長を上下方向に対して伸縮調節自在に設けている。つまり、受け部１２ｂ外面に取り付けたネジ部材１２ｃを、該受け部１２ｂに挿入した支持棒１２ａ外面に当接又は係止して任意長さに固定且つ回り止めする。ネジ部材１２ｃによる固定を解除すれば、糸立て棒１２全長を任意長さに伸縮調節することができる。
【００４６】
また、支持棒１２ａの上端部に対して自由回転自在に取り付けた一対の各受け体１２ｄ，１２ｄは、該各受け体１２ｄ，１２ｄで保持される巻き糸Ｃの巻回幅に応じて任意間隔に拡縮調節される。
【００４７】
図示実施例は上記の如く構成するものにして、以下、ミシン載置台１を用いた被縫製物Ｂの縫製作業を説明する。
【００４８】
先ず、図１に示すように、縫製作業に使用するミシンＡ１を、台部Ａａ上に設定した針落ち位置と、上部載置台４の左側縁部に突設した支持アーム６とを対応させて、上部載置台４に対して正面から見て左向きとなる状態に載置する。また、縫製作業に使用しない縫製可能が異なるミシンＡ２を、上部載置台４と直交する方向に向けて下部載置台５に載置しておく。
【００４９】
次に、上部載置台４に載置したミシンＡ１で縫製する場合、図５にも示すように、例えば幅広、筒状、袋状等を有する被縫製物Ｂを、上部載置台４の左側縁部に設けた支持アーム６の引っ掛け部６ａに対して上下逆Ｕ字状に弛ませた状態に引っ掛ける。
【００５０】
次に、被縫製物Ｂの未縫付け部を、支持アーム６の引っ掛け部６ａに引っ掛けたまま、被縫製物Ｂの縫付け開始部を、ミシンＡ１の台部Ａａ上に設定した針落ち位置に手送り供給して、ミシンＡ１により所望する状態に縫製する。以下同様に、支持アーム６の引っ掛け部６ａに引っ掛けられた被縫製物Ｂの残りの未縫付け部をミシンＡ１の針落ち位置に手送り供給して、所望する縫付け状態に縫製する。
【００５１】
次に、異なる縫製作業に移行する場合、ミシンＡ１による縫製作業が終了した後、上部載置台４に載置されたミシンＡ１と、下部載置台５に載置されたミシンＡ２とを乗換えて、縫製機能が異なるミシンＡ２で縫製作業を行う。
【００５２】
以上のように、ペデスタル型のミシン載置台１は、支持脚２の後側中央部に立設した支柱３上端部に上部載置台４の後端部を水平固定して、上部載置台４の前側下部及び両側下部を開放しているので、支柱３以外には、上部載置台４を支持する脚部が存在せず、縫製作業に使用するミシンＡ１又はＡ２を宙に浮くような状態に載置することができるとともに、従来型の専用載置台よりも作業空間が広く、例えば幅広、長尺、筒状、袋状等の様々な大きさ及び形状を有する被縫製物Ｂを縫製する作業が容易に行える。
【００５３】
また、被縫製物Ｂを、上部載置台４の一側縁部近傍に設けた支持アーム６の引っ掛け部６ａに引っ掛けたまま、上部載置台４に載置したミシンＡ１又はＡ２に手送り供給して縫製するので、被縫製物Ｂ全体が載置許容される大きな載置台を用いる必要がなく、上部載置台４の一側縁部を、例えば壁部、家具、機器等に近接して設置することができる。ミシン載置台１を設置するのに必要な設置スペースがあれば、何処にでも設置することができ、設置スペースによって縫製作業が制約されず、一般家庭でも様々な縫製作業が行える。或いは、例えば捺染装置、裁断装置等の縫製用機器に近接して設置すれば、縫製作業の自動化、システム化が容易に行える。
【００５４】
また、支持アーム６を、上部載置台４と平行して左右方向に対して任意長さに伸縮調節し、支持アーム６の引っ掛け部６ａを、上部載置台４の一側縁部に対して任意間隔に近接又は離間するので、上部載置台４の一側縁部と、支持アーム６の引っ掛け部６ａとの間を、被縫製物Ｂの厚み、枚数等に応じて引っ掛けが許容される間隔に拡縮調節することができる。
【００５５】
また、縫製機能が異なる各ミシンＡ１，Ａ２を上部載置台４と下部載置台５とにそれぞれ載置しておけば、各ミシンＡ１，Ａ２を乗換えるだけで、各ミシンＡ１，Ａ２の種類及び台数と対応する様々な縫製作業が一つの場所で行えるとともに、各ミシンＡ１，Ａ２の乗換え作業及び縫製作業の変更が短時間で行える。また、縫製機能が異なる２台以上の各ミシンＡ１，Ａ２…を予め載置しておけば、複数台の各ミシンＡ１，Ａ２…の中から、縫製作業に応じた機能のミシンを即選択することもできる。
【００５６】
また、上部載置台４及び下部載置台５を、ミシン載置台１の設置スペース内に設けているので、複数種の各ミシンＡ１，２Ａ…を保管又は格納するためのスペースが小さくて済み、レイアウトが容易に行える。
【００５７】
また、支柱３全長を任意長さに伸縮調節すれば、該支柱３上端部に固定した上部載置台４を、例えば作業者の身長、座高等に応じて任意高さに上下調節することができ、被縫製物Ｂの縫製作業が楽な姿勢で行える。
【００５８】
図６は、２台の下部載置台５Ａ及び下部載置台５Ｂを、ミシンＡ１又はＡ２の載置が許容される上下間隔に隔てて上部載置台４下方に設けたミシン載置台１の他の例を示し、縫製機能が異なる複数種の各ミシンＡ１，Ａ２…を、支柱３の上端部に固定した上部載置台４と、支持脚２の右側端部に固定した下部載置台５Ａと、支柱３の柱体３ｂ右側面に固定した下部載置台５Ｂとに予め載置しておけば、縫製作業を変更する際に、複数種の各ミシンＡ１，Ａ２…の中から、縫製作業に応じた機能のミシンＡ１又はＡ２を即選択することができ、ミシンＡ１又はＡ２の乗換え作業及び縫製作業の変更が短時間で行える。
【００５９】
図７、図８は、例えばキルト等の平板状又は扁平状を有する被縫製物Ｂの縫製作業に用いられるエクステンションプレート１４を上部載置台４の左側部上面に着脱自在に設けたミシン載置台１のその他の例を示し、上部載置台４に載置されるエクステンションプレート１４（以下、プレートと略記する）は、一側端部に設けた平面から見て凹状の嵌合部１４ａを、上部載置台４に載置したミシンＡ１の台部Ａａ外周縁部に嵌合し、上部載置台４の左側縁部に突出するプレート１４の他側端部下面に設けた正面から見て凹状の係止部１４ｂを、上部載置台４の左側縁部に突設した支持アーム６の引っ掛け部６ａ上面に係止して、プレート１４を水平に載置した後、例えばキルト等の平板状を有する被縫製物Ｂをプレート１４上に載置して、被縫製物Ｂの所望する部分をミシンＡ１により縫製する。また、プレート１４を取り外せば、幅広又は筒状を有する被縫製物Ｂの縫製作業に使用できる。
【００６０】
また、プレート１４の下面側前後縁部に垂設した各脚部１４ｃ…を上部載置台４上面に接地し、各脚部１４ｃ…下端に螺着した各接地部１４ｄ…を任意の突出寸法に回動調節するか、各脚部１４ｃ…の長さを変更するか、任意厚みのスペーサーを介在する等して、プレート１４をミシンＡ１の台部Ａａと水平となる高さに上下微調節する。なお、プレート１４の左側端部は、支持アーム６の引っ掛け部６ａ上面に載置するだけでもよい。また、支持アーム６の引っ掛け部６ａは、プレート１４の係止部１４ｂに対して係止される位置に伸縮調節しておく。
【００６１】
図９、図１０は、例えばスカート等の筒状を有する被縫製物Ｂの縫製作業に用いられる被縫製物保持台１５をミシン載置台１の左側部に配置したその他の例を示し、被縫製物保持台１５は、筒状の第１ポール１６ａを、該第１ポール１６ａよりも大径に形成した筒状の第２ポール１６ｂ内部に上下移動自在に挿入して、支持ポール１６全長を上下方向に対して伸縮調節自在に設けている。つまり、第２ポール１６ｂの上端部に取り付けたネジ部材１６ｃを、該第２ポール１６ｂに挿入した第１ポール外面に当接又は係止して、後述する保持部１７を任意高さに固定する。ネジ部材１６ｃによる固定を解除すれば、保持部１７を任意高さに上下調節することができる。
【００６２】
また、第２ポール１６ｂの下端部外面に対して円周方向に所定等角度に隔てて取り付けた複数の各支持脚１６ｄ…を、ミシン載置台１が設置された左側部床面に接地して、被縫製物保持台１５を上方に向けて垂直に起立した状態に支持する。
【００６３】
上記保持部１７は、平面から見て円盤型の回転体１７ａを、第１ポール１６ａの上端部に対して水平回転自在に設け、回転体１７ａの周縁部に対して円周方向に所定等角度に隔てて取り付けた複数の各アーム１７ｂ…を、各アーム１７ｂ…間に差し込まれた被縫製物Ｂの上端部が挟持される方向に対してバネの復元力で回動付勢している。また、各アーム１７ｂ…の代わる方法として、例えばチャック、クリップ等の挟持手段で挟持してもよい。
【００６４】
つまり、被縫製物保持台１５を、支持アーム６が突設された上部載置台４の左側部近傍に配置し、幅広又は筒状に形成した被縫製物Ｂの上端部を、保持部１７の各アーム１７ｂ…間に差し込んで挟持した後、被縫製物Ｂの下端側周縁部を上部載置台４に載置したミシンＡ１に供給する。被縫製物Ｂを供給する際の牽引力により、被縫製物Ｂの上端部を挟持する保持部１７を同一方向に水平回転させ、保持部１７に吊り下げられた被縫製物Ｂを送り方向に回転させながら、被縫製物Ｂの下端側周縁部をミシンＡ１により連続して縫製するので、幅広又は筒状を有する被縫製物Ｂの縫製作業が容易に行え、上記実施例と同等の作用及び効果を奏することができる。
【００６５】
この発明の構成と、上述の実施例との対応において、  
この発明の挟持手段は、実施例の各アーム１７ｂ…に対応するも、  
この発明は、上述の実施例の構成のみに限定されるものではなく、請求項に示される技術思想に基づいて応用することができ、多くの実施の形態を得ることができる。
【００６６】
例えば図１１に示すように、支持アーム６の一側端部に、２本の各引っ掛け部６ａ，６ａを所定間隔に隔てて左右に設けてもよい。また、各引っ掛け部６ａ，６ａの間隔を拡縮調節自在に設けるか、各引っ掛け部６ａ，６ａを上下に設けるか、支持アーム６を左右又は上下に複数本設ける等してもよい。
【００６７】
また、支持アーム６の引っ掛け部６ａ全長と同等又は同一となる長さに形成した押え部材の基端部を、該引っ掛け部６ａの一側端部に対して上下回動自在に枢着し、支持アーム６の引っ掛け部６ａに引っ掛けられた被縫製物Ｂの縫製部分を、引っ掛け部６ａと押え部材とで挟持してもよい。
【図面の簡単な説明】
【００６８】
【図１】支持アームを備えたミシン載置台を示す正面図。
【図２】支持アームを備えたミシン載置台を示す背面図。
【図３】上部載置台及び支持アームの取り付け状態を示す左側面図。
【図４】上部載置台及び支持アームの取り付け状態を示す平面図。
【図５】支持アームに引っ掛けた被縫製物の縫製方法を示す斜視図。
【図６】２台の各下部載置台を取り付けた他の例を示す正面図。
【図７】エクステンションプレートを取り付けたその他の例を示す正面図。
【図８】図７のエクステンションプレートの取り付け状態を示す平面図。
【図９】被縫製物保持台を左側部に配置したその他の例を示す正面図。
【図１０】図９の保持部を構成する各アームの挟持動作を示す拡大側面図。
【図１１】２本の各引っ掛け部を設けた支持アームを示す平面図。
【符号の説明】
【００６９】
Ａ１，Ａ２…ミシン
Ａａ…台部
Ｂ…被縫製物
１…ミシン載置台
２…支持脚
３…支柱
４…上部載置台
５，５Ａ，５Ｂ…下部載置台
６…支持アーム
６ａ…引っ掛け部
７…支持部材
１４…エクステンションプレート
１４ａ…嵌合部
１４ｂ…係止部
１５…被縫製物保持台
１６…支持ポール
１７…保持部
１７ｂ…アーム
【図１】
2007190109.tif 000003
【図２】
2007190109.tif 000004
【図３】
2007190109.tif 000005
【図４】
2007190109.tif 000006
【図５】
2007190109.tif 000007
【図６】
2007190109.tif 000008
【図７】
2007190109.tif 000009
【図８】
2007190109.tif 000010
【図９】
2007190109.tif 000011
【図１０】
2007190109.tif 000012
【図１１】
2007190109.tif 000013